(57)【要約】【課題】  のぼり旗の高さ位置が変更できるのぼりを提供する。【解決手段】  スタンド１で立設する支柱２に横竿４を設け、シートを薄い袋状に折り曲げて横竿４の長さと略同一の幅を有するのぼり旗５を形成し、そののぼり旗５を左右の折り目５ｃの内側と横竿４の先端とが接するように支柱２と横竿４に上下摺動可能に被せ、さらにのぼり旗５と略同一の幅を有する透明カバー６をのぼり旗５に被せてのぼり旗５の左右の折り目５ｃと横竿４の先端との接触を保持する。のぼり旗５を透明カバー６とともに支柱２に沿って任意の高さ位置に摺動し、手を離すと、のぼり旗５の左右の折り目５ｃと横竿４の先端との接触が透明カバー６によって保持されているから、その接触による摩擦で下方にズレることはない。【選択図】  図１
0003158625.tif 000002
【実用新案登録請求の範囲】
【請求項１】
スタンド又はクリップで立設できる支柱に横竿を設け、シートを薄い袋状に折り曲げて横竿の長さと略同一の幅を有するのぼり旗を形成し、そののぼり旗を左右の折り目の内側と横竿の先端とが接するように支柱と横竿に上下摺動可能に被せ、さらにのぼり旗と略同一の幅を有する透明カバーをのぼり旗に被せてのぼり旗の左右の折り目と横竿の先端との接触を保持し、その接触による摩擦でのぼり旗の高さ位置を保持できるようにした、のぼり。
【請求項２】
スタンド又はクリップで立設できる支柱に横竿を設け、糊代を備えたシートを薄い袋状に折り曲げて固着して横竿の長さと略同一の幅を有するのぼり旗を形成し、そののぼり旗を左右の折り目の内側と横竿の先端とが接するように支柱と横竿に上下摺動可能に被せ、その横竿の先端でのぼり旗の左右の折り目を内側から突っ張り、その突っ張りによる摩擦でのぼり旗の高さ位置を保持できるようにした、のぼり。
【請求項３】
のぼり旗の下部を内側へ折り曲げ、その折曲片に支柱を通す通し穴を開口し、その通し穴に支柱を貫通した、請求項１又は２記載ののぼり。
【請求項４】
のぼり旗の上部を内側へ折り曲げ、その折り目に横竿を掛止できるようにした、請求項１〜３いずれか記載ののぼり。
【請求項５】
のぼり旗が紙製である、請求項１〜４いずれか記載ののぼり。
【考案の詳細な説明】
【技術分野】
【０００１】
本考案は、商品の陳列台に設置して広告や宣伝をするために用いられるのぼりに関する。
【背景技術】
【０００２】
従来ののぼりは、スタンド又はクリップで立設できる支柱に横竿を設け、その横竿と支柱にのぼり旗の上辺と側辺を乳輪で掛けた構造が一般的である（例えば特許文献１，２参照）。
【０００３】
ところで、のぼりの設置場所によっては、のぼり旗が良く目立つように、より高い位置に立てたいことがある。しかし、前記ののぼりは、のぼり旗の上辺が横竿に乳輪でぶら下がっているから、のぼり旗の高さ位置は支柱の長さによって決められ、変えることができなかった。よって、このような場合は、支柱の長いのぼりを別途製作する必要があり、コストがかかっていた。
【先行技術文献】
【特許文献】
【０００４】
【特許文献１】実用新案登録第３０７０１２３号公報
【特許文献２】実用新案登録第２５６７４１１号公報
【考案の概要】
【考案が解決しようとする課題】
【０００５】
本考案が解決しようとする課題は、従来のこれらの問題点を解消し、のぼり旗の高さ位置が変更できるのぼりを提供することにある。
【課題を解決するための手段】
【０００６】
かかる課題を解決した本考案の構成は、
１）  スタンド又はクリップで立設できる支柱に横竿を設け、シートを薄い袋状に折り曲げて横竿の長さと略同一の幅を有するのぼり旗を形成し、そののぼり旗を左右の折り目の内側と横竿の先端とが接するように支柱と横竿に上下摺動可能に被せ、さらにのぼり旗と略同一の幅を有する透明カバーをのぼり旗に被せてのぼり旗の左右の折り目と横竿の先端との接触を保持し、その接触による摩擦でのぼり旗の高さ位置を保持できるようにした、のぼり
２）  スタンド又はクリップで立設できる支柱に横竿を設け、糊代を備えたシートを薄い袋状に折り曲げて固着して横竿の長さと略同一の幅を有するのぼり旗を形成し、そののぼり旗を左右の折り目の内側と横竿の先端とが接するように支柱と横竿に上下摺動可能に被せ、その横竿の先端でのぼり旗の左右の折り目を内側から突っ張り、その突っ張りによる摩擦でのぼり旗の高さ位置を保持できるようにした、のぼり
３）  のぼり旗の下部を内側へ折り曲げ、その折曲片に支柱を通す通し穴を開口し、その通し穴に支柱を貫通した、前記１）又は２）記載ののぼり
４）  のぼり旗の上部を内側へ折り曲げ、その折り目に支柱の上端を掛止できるようにした、前記１）〜３）いずれか記載ののぼり
５）  のぼり旗が紙製である、前記１）〜４）いずれか記載ののぼり
にある。
【考案の効果】
【０００７】
本考案の前記１）記載の構成によれば、のぼり旗を透明カバーとともに支柱に沿って任意の高さ位置に摺動し、手を離すと、のぼり旗の左右の折り目と横竿の先端との接触が透明カバーによって保持されているから、その接触による摩擦で下方にズレることはない。また、本考案の前記２）記載の構成によれば、のぼり旗を支柱に沿って任意の高さ位置に摺動し、手を離すと、横竿の先端がのぼり旗の左右の折り目を内側から突っ張っているから、その突っ張りによる摩擦で下方にズレることはない。
【０００８】
このように、のぼり旗を上下するだけで任意の高さ位置に変更し、その後手を離すだけでその高さ位置を保持できるから、低い位置や高い位置に応じて自在に調整できる汎用性に優れたのぼりとなり、求める高さに応じたのぼりを個別に製作する必要がなく、広告や宣伝に伴うコストを削減できる。また、他のデザインののぼり旗への取り替えも容易に行える。特に前記１）記載ののぼり旗は、透明カバーによって防水性を高め、汚損を防止できる。
【０００９】
本考案の前記３）記載の構成によれば、通し穴に支柱を貫通することでのぼり旗の左右への動きが規制され、のぼり旗の姿勢を保持でき、風などによる振れを低減できる。また、のぼり旗を一番上まで摺動させても、下側の折り目に横竿が引っ掛かってこれ以上摺動できなくなり、のぼり旗の脱落を防止できる。
【００１０】
本考案の前記４）記載の構成によれば、のぼり旗を一番下まで摺動させても、上側の折り目に支柱の上端が引っ掛かってこれ以上摺動できなくなり、のぼり旗の脱落を防止できる。また、本考案の前記５）記載の構成によれば、布材等と比較して材料が安価で且つ印刷面を容易に形成でき、より低コストで実施できる。
【図面の簡単な説明】
【００１１】
【図１】実施例ののぼりの外観図である。
【図２】実施例ののぼり旗の展開図である。
【図３】実施例ののぼりの組み立てを示す説明図である。
【図４】図１のＡ−Ａ断面図である。
【図５】実施例ののぼり旗の摺動を示す説明図である。
【図６】実施例の他の例ののぼりの外観図である。
【図７】実施例の他の例ののぼり旗の展開図である。
【図８】実施例の他の例ののぼりの外観図である。
【考案を実施するための形態】
【００１２】
以下、本考案を実施するための形態を実施例と図面に基づいて具体的に説明する。
【実施例】
【００１３】
図１は実施例ののぼりの外観図、図２は実施例ののぼり旗の展開図、図３は実施例ののぼりの組み立てを示す説明図、図４は図１のＡ−Ａの断面図、図５は実施例ののぼり旗の摺動を示す説明図である。図中、１はスタンド、１ａは差込穴、２は支柱、３はキャップ、３ａは通し穴、４は横竿、５はのぼり旗、５ａは折曲片、５ｂは通し穴、５ｃは折り目、６は透明カバー、６ａは折り目である。
【００１４】
図１，２に示すように、スタンド１は重りが埋め込まれた円形のプラスチック製で、支柱２の下端を差し込むための差込穴１ａを中央に有している。支柱２は中空のプラスチック製で、長さは３８ｃｍである。キャップ３は支柱２の上端に被せて横竿４を水平に支持するためのもので、頭部が球状に形成されたプラスチック製で、左右に横竿４を通すための通し穴３ａを連通している。横竿４は棒状のプラスチック製で、長さは９７ｍｍである。
【００１５】
のぼり旗５のシートは紙製で、表面に商品の広告や宣伝等が印刷され、側辺と下辺には折曲片５ａを備え、下側の折曲片５ａの中央には支柱２を貫通するための通し穴５ｂが開口され、折り目５ｃに沿って折り曲げると薄い袋状に形成されるようになっている。袋状に形成した状態ののぼり旗５の幅は、横竿４の長さと同一である９７ｍｍに形成され、高さは２６５ｍｍに形成されている。透明カバー６は左右に折り目６ａを有した薄い袋状で、幅が１００ｍｍ、長さが２８０ｍｍに形成され、下端が開放されている。
【００１６】
以下、図３，４に基づいてのぼりの組み立てについて説明する。なお、これらの組み立て手順は一例であり、のぼりが完成できる手順であれば異なっていてもよい。
１）支柱２の上端にキャップ３を被せ、その通し穴３ａに横竿４を左右が等長さとなるように差し込む。
２）支柱２をのぼり旗５の通し穴５ｂに貫通し、のぼり旗５を折り目５ｃに沿って折り曲げ、左右の折り目５ｃの内側と横竿４の先端とが接するように配置する。
３）透明カバー６をのぼり旗５に上方から被せる。
４）支柱２の下端をスタンド１の差込穴１ａに差し込む。
【００１７】
使用時は、スタンド１を例えば商品の陳列台に置き、図５に示すようにのぼり旗５を透明カバー６とともに支柱２に沿って任意の高さ位置に摺動する。手を離すと、のぼり旗５の左右の折り目５ｃと横竿４の先端との接触が透明カバー６によって保持されており、その接触による摩擦で下方にズレることはない。また、下側の折曲片５ａの通し穴５ｂに支柱２を貫通しているから、のぼり旗５の左右への動きが規制され、のぼり旗５の姿勢を保持して風などによる振れを低減できる。のぼり旗５を一番上まで摺動させると、のぼり旗５の下側の折り目５ｃに横竿４が引っ掛かってこれ以上摺動できなくなり、のぼり旗５は支柱２から外れることはない。
【００１８】
このようにして、のぼり旗５が良く目立つようにより高い位置に立て、その高さ位置を保持できる。また、透明カバー６によってのぼり旗５の防水性を高め、汚損も防止できる。なお、透明カバー６は下端だけでなく上端が開放されていてもよく、少なくとものぼり旗５の左右の折り目５ｃと横竿４の先端との接触を保持できるものであればよい。また、のぼり旗５は下側の折曲片５ａが無いものも可能である。
【００１９】
図６に示すのは、透明カバーを省略するとともに、支柱をクリップで立設できるようにした実施例ののぼりの他の例である。図６は実施例の他の例ののぼりの外観図である。図中、７はボールジョイント、８はクリップ、９は商品の陳列箱である。
【００２０】
この例では、支柱２の下端をのぼり旗５の通し穴５ｂに貫通し、のぼり旗５を折り目５ｃに沿って折り曲げ、左右の折り目５ｃの内側と横竿４の先端とが接するように配置し、折曲片５ａを糊代として糊付けにより接着している。また、支柱２の下端には、実施例のスタンド１に代えてボールジョイント７付きのクリップ８を取り付けている。なお、折曲片５ａの固着は、糊付けの他、粘着テープやホッチキス（登録商標）を用いてもよい。
【００２１】
図６に示すように、横竿４の先端が左右の折り目５ｃを内側から突っ張っており、その突っ張りによる摩擦でのぼり旗５が下方にズレることはない。したがって、透明カバー６を被せることなくのぼり旗５を任意の高さ位置に立てることができ、しかも透明カバー６を省略して低コストで実施できる。また、商品の陳列箱９の縁をクリップ８で挟むことで、スタンド１が置けない場所に設置でき、さらにボールジョイント７を屈曲させてのぼり旗５を任意の姿勢に傾けることもできる。その他、符号、構成、作用効果は実施例と同じである。
【００２２】
図７，８に示すのは、のぼり旗の上部を内側へ折り曲げた実施例ののぼりの他の例である。図７は実施例の他の例ののぼり旗の展開図、図８は実施例の他の例ののぼりの外観図である。この例では、図７に示すようにのぼり旗５の上辺に折曲片５ａを備えており、この折曲片５ａを折り目５ｃに沿って内側へ折り曲げて組み立てる。
【００２３】
前記の実施例のようにのぼり旗５の上辺に折曲片５ａが無い場合は、のぼり旗５を下方に大きく摺動させ過ぎた場合や、横竿４とのぼり旗５との摩擦が不足してのぼり旗５が下がった場合、のぼり旗５が脱落することがあり、元に戻す手間を生じる。それに対し、この例では、図８に示すように上側の折り目５ｃに支柱２の上端（キャップ３）が引っ掛かってこれ以上摺動できないから、のぼり旗５の脱落を防止できる。なお、この例は透明カバー６を被せたのぼりの例であるが、透明カバー６を省略したのぼりにも適用できる。この場合は上辺の折曲片５ａを糊代として糊付けにより接着する。その他、符号、構成、作用効果は実施例と同じである。
【産業上の利用可能性】
【００２４】
本考案の技術は、商品の陳列台に設置して広告や宣伝をするために利用される。
【符号の説明】
【００２５】
１  スタンド
１ａ  差込穴
２  支柱
３  キャップ
３ａ  通し穴
４  横竿
５  のぼり旗
５ａ  折曲片
５ｂ  通し穴
５ｃ  折り目
６  透明カバー
６ａ  折り目
７  ボールジョイント
８  クリップ
９  商品の陳列箱
【図１】
0003158625.tif 000003
【図２】
0003158625.tif 000004
【図３】
0003158625.tif 000005
【図４】
0003158625.tif 000006
【図５】
0003158625.tif 000007
【図６】
0003158625.tif 000008
【図７】
0003158625.tif 000009
【図８】
0003158625.tif 000010